(57)【要約】  周囲光検出器、検出器アレイ、および方法を開示する。一実施形態においては、周囲光センサは、第１の複数のセンサ素子であって、各センサ素子が、照明のレベルに応えて信号を提供するように構成されている、第１の複数のセンサ素子と、第２の複数の基準素子であって、各基準素子が、基準信号を提供するように構成されており、各々が、それぞれの基準素子が照らされるのを遮るように構成されている遮蔽要素を含む、第２の複数の基準素子と、を備えており、第１の複数が第２の複数より大きく、第１の複数のセンサ素子および第２の複数の基準素子がアレイ状に配置されており、センサ素子および基準素子が共通層基板に横方向に配置されており、少なくとも１つの共通の第１のコンタクトを共有している。【選択図】  図１
2021528653.tif 000002
【特許請求の範囲】
【請求項１】
周囲光センサであって、
第１の複数のセンサ素子であって、各センサ素子が、照明のレベルに応えて信号を提供するように構成されている、前記第１の複数のセンサ素子、および、
第２の複数の基準素子であって、各基準素子が、基準信号を提供するように構成されており、各々が、それぞれの基準素子が照らされるのを遮るように構成されている遮蔽要素を備えている、前記第２の複数の基準素子、
を備えており、
前記第１の複数が前記第２の複数より大きく、前記第１の複数のセンサ素子および前記第２の複数の基準素子がアレイ状に配置されており、
センサ素子および基準素子が、共通層基板に、横方向に配置されており、少なくとも１つの共通の第１のコンタクトを共有している、
周囲光センサ。
【請求項２】
前記基準素子のための第２のコンタクトが、前記遮蔽要素の側の前記基準素子の表面に配置されている、請求項１に記載の周囲光センサ。
【請求項３】
前記センサ素子のための第２のコンタクトが、前記遮蔽要素の側の前記センサ素子の表面に配置されている、請求項１または請求項２に記載の周囲光センサ。
【請求項４】
前記共通のコンタクトが、前記遮蔽要素とは反対側の前記共通層基板の表面に配置されている、請求項１から請求項３のいずれか１項に記載の周囲光センサ。
【請求項５】
前記センサ素子のための前記第２のコンタクトおよび／または前記基準素子のための前記第２のコンタクトが、前記遮蔽要素とは反対側の共通層基板の表面に配置されている、請求項２に記載の周囲光センサ。
【請求項６】
前記光センサの上面視において、前記遮蔽要素が、前記それぞれの基準素子より大きい、請求項１から請求項５のいずれか１項に記載の周囲光センサ。
【請求項７】
前記遮蔽要素が、前記第１の複数のセンサ素子のうち前記基準素子に隣接するセンサ素子の一部の上方に延びている、請求項１から請求項６のいずれか１項に記載の周囲光センサ。
【請求項８】
前記遮蔽要素によって覆われている前記センサ素子の部分が、前記センサ素子の総センサ領域の５％と５０％の間である、請求項７に記載の周囲光センサ。
【請求項９】
前記第１の複数が前記第２の複数の４倍である、請求項１から請求項８のいずれか１項に記載の周囲光センサ。
【請求項１０】
前記センサ素子および前記基準素子が、それぞれ、ｐ型ドープ層と、ｎ型ドープ層と、照らされているときに前記信号を生成するように構成されている、前記ｐ型ドープ層と前記ｎ型ドープ層との間の活性領域と、を備えている、請求項１から請求項９のいずれか１項に記載の周囲光センサ。
【請求項１１】
前記センサ素子および／または前記基準素子が、それぞれ、井戸であって、前記井戸と前記共通基板との間に活性層を形成するように前記共通基板内に配置されている、前記井戸、を備えている、請求項１から請求項１０のいずれか１項に記載の周囲光センサ。
【請求項１２】
前記遮蔽要素が、前記基準素子の主面から距離をおいて配置されている、請求項１から請求項１１のいずれか１項に記載の周囲光センサ。
【請求項１３】
アレイの縁部に沿ったセンサ素子と基準素子の比が、前記第１の複数と前記第２の複数の比に一致するように、前記センサ素子および前記基準素子がアレイ状に配置されている、請求項１から請求項１１のいずれか１項に記載の周囲光センサ。
【請求項１４】
カレントミラーを有する周囲光検出器であって、前記カレントミラーが、
第１の電流経路における第１の複数のフォトダイオードと、
第２の電流経路における第２の複数の暗電流ダイオードであって、前記第２の複数が前記第１の複数と異なる、前記第２の複数の暗電流ダイオードと、
前記第１の電流経路におけるミラートランジスタおよび前記第２の電流経路における基準トランジスタと、
を備えており、
前記ミラートランジスタと前記基準トランジスタが、前記第１の複数と前記第２の複数の比に一致するパラメータ比を備えており、
前記第１の複数のフォトダイオードおよび前記第２の複数の暗電流ダイオードが、共通基板に、横方向に配置されている、
周囲光検出器。
【請求項１５】
デジタルの不一致補正信号に応えて、前記第１の電流経路および前記第２の電流経路の少なくとも一方において補正電流を提供する補正デバイス、
をさらに備えている、請求項１４に記載の周囲光検出器。
【請求項１６】
前記補正デバイスが、前記第１の複数のフォトダイオードと前記ミラートランジスタとの間で前記第１の電流経路に結合されている、および／または、前記補正デバイスが、前記第２の複数の暗電流ダイオードと前記基準トランジスタとの間で前記第２の電流経路に結合されている、請求項１５に記載の周囲光検出器。
【請求項１７】
前記第１の電流経路における電流を制限するように構成されている電流制限器、をさらに備えている、請求項１４から請求項１６のいずれか１項に記載の周囲光検出器。
【請求項１８】
前記電流制限器が、クランプ用素子に結合された電流検出抵抗器を備えており、前記電流検出抵抗器が、前記第１の電流経路における前記ミラートランジスタに並列に配置されている電流制限素子を制御するように構成されている、請求項１７に記載の周囲光検出器。
【請求項１９】
第１の信号入力または第２の信号入力に結合される利得設定要素、をさらに備えており、前記第２の信号入力が供給入力である、請求項１４から請求項１８のいずれか１項に記載の周囲光検出器。
【請求項２０】
前記利得設定要素が、前記第１の信号入力に結合されているときには高利得を設定し、前記第２の信号入力に結合されているときには低利得を設定するように構成されている、請求項１９に記載の周囲光検出器。
【請求項２１】
前記利得設定要素の結合が実質的に永久的である、請求項１９または請求項２０に記載の周囲光検出器。
【請求項２２】
前記利得設定要素が、前記ミラートランジスタに並列に配置されておりかつ自身の制御入力が前記第１の複数のフォトダイオードと前記ミラートランジスタとの間である状態で接続されている利得設定トランジスタ、を備えている、請求項１９から請求項２１のいずれか１項に記載の周囲光検出器。
【請求項２３】
前記第１の複数のフォトダイオードが、
前記共通基板に配置されている第１の導電型の層、
を備えており、
前記第２の複数の暗電流ダイオードが、
前記共通基板に配置されている第１の導電型の層、
を備えており、
前記共通基板が第２の導電型を有する、
請求項１４から請求項２２のいずれか１項に記載の周囲光検出器。
【請求項２４】
前記第１の複数のフォトダイオードおよび前記第２の複数の暗電流ダイオードのための少なくとも１つの共通コンタクトと、
前記フォトダイオードの前記層に接触しているコンタクトと、
前記暗電流ダイオードの前記層に接触しているコンタクト、
をさらに備えている、請求項２３に記載の周囲光検出器。
【請求項２５】
前記コンタクトおよび前記共通コンタクトの少なくとも１つが、入射光の方向とは反対側の前記共通基板の表面に配置されている、請求項２４に記載の周囲光検出器。
【請求項２６】
前記第２の複数の暗電流ダイオードの各々が、前記各々の暗電流ダイオードが照らされるのを遮るように構成されている遮蔽要素を備えている、請求項１４から請求項２５のいずれか１項に記載の周囲光検出器。
【請求項２７】
前記遮蔽要素が、それぞれの暗電流ダイオードを完全に覆っており、かつ、前記暗電流ダイオードと、隣接する前記第１の複数のフォトダイオードとの間の空間内まで横方向にさらに延びている、請求項２６に記載の周囲光検出器。
【請求項２８】
前記遮蔽要素が、前記暗電流ダイオードに隣接する前記第１の複数のフォトダイオードの一部分の上方に延びている、請求項２６または請求項２７に記載の周囲光検出器。
【請求項２９】
前記第１の複数が、前記第２の複数の４倍である、請求項１４から請求項２８のいずれか１項に記載の周囲光検出器。
【請求項３０】
前記フォトダイオードおよび前記暗電流ダイオードが、アレイの縁部に沿ったセンサ素子と基準素子の比が前記第１の複数と前記第２の複数の比に一致するように、前記共通基板にアレイ状に配置されている、請求項１４から請求項２９のいずれか１項に記載の周囲光検出器。
【請求項３１】
第１の複数のフォトダイオードおよび第２の複数の基準ダイオードを備えた周囲光検出器アレイであって、前記第１の複数が前記第２の複数と異なり、前記第１の複数のフォトダイオードおよび前記第２の複数の基準ダイオードが、アレイの縁部に沿ったフォトダイオードの数と基準ダイオードの数との比が前記第１の複数と前記第２の複数の比に一致するように、互いに横方向に配置されている、周囲光検出器アレイ。
【請求項３２】
前記第１の複数と前記第２の複数が、Ｎ×Ｎのパターンを形成するようにされており、Ｎが３以上の整数である、請求項３１に記載の周囲光検出器アレイ。
【請求項３３】
前記アレイの各角部が、第１の複数のフォトダイオードのフォトダイオードを備えている、請求項３１または請求項３２に記載の周囲光検出器アレイ。
【請求項３４】
前記第２の複数の基準ダイオードが、前記アレイの対角線に配置されている、請求項３１から請求項３３のいずれか１項に記載の周囲光検出器アレイ。
【請求項３５】
前記第１の複数のフォトダイオードが、前記第２の複数のフォトダイオードより４倍多い、請求項３１から請求項３４のいずれか１項に記載の周囲光検出器アレイ。
【請求項３６】
周囲光センサを形成する方法であって、前記方法が、
第１の導電型の層を設けるステップであって、前記層が主面を有する、ステップと、
互いに横方向に隣接しており第１の距離だけ隔てられた、第２の導電型の少なくとも２つの領域を、前記層に形成するステップと、
前記層に接触するためのコンタクトと、前記少なくとも２つの領域の各々に接触するためのコンタクトを形成するステップと、
前記少なくとも２つの領域の一方の上方に、前記主面に実質的に平行な光遮蔽要素を形成するステップであって、前記光遮蔽要素が前記少なくとも２つの領域の前記一方を覆い、かつ少なくとも前記距離に沿って延びている、ステップと、
を含む、方法。
【発明の詳細な説明】
【技術分野】
【０００１】
関連出願
本出願は、米国特許出願第１６／０２４，４３７号の優先権を主張し、この文書の開示内容は参照により本明細書に組み込まれている。
【０００２】
本出願は、周囲光検出器に関する。さらに本出願は、周囲光検出器と、検出器アレイと、周囲光センサを形成する方法とについて言及する。
【背景技術】
【０００３】
周囲光センサ（ＡＬＳ：Ａｍｂｉｅｎｔ  Ｌｉｇｈｔ  Ｓｅｎｓｏｒ）は、周囲の照明の強さを測定し、照明のレベルに比例する電気信号を出力する電子デバイスである。この出力を使用して、照明装置の強度や色温度を制御することができる。周囲光センサ（ＡＬＳ）は、フォトダイオードアレイおよび電流増幅器を含みうる。
【０００４】
暗電流は、デバイスに光子が入射していないときにも感光デバイス（フォトダイオードなど）を流れる比較的小さい電流である。暗電流は、入ってくる光によって検出器が照らされていないときに検出器で生成される電荷キャリアからなる。暗電流は、半導体の温度依存特性である。暗電流は、フォトダイオードを加熱することによって増大することがあり、ダイオードが冷えると相応して減少する。
【０００５】
周囲光センサによって、より良好な測定結果を提供するためには、このようなセンサにおける暗電流の影響を小さくすることが望ましい。
【発明の概要】
【課題を解決するための手段】
【０００６】
実施形態は、暗電流の補正が改善された周囲光センサを提供する。一態様においては、本周囲光センサは、第１の複数のセンサ素子を備えており、各センサ素子は、光によって照らされているときに信号を提供するように構成されている。言い換えれば、各センサ素子は、光の照射に応えて信号を提供するように構成されている。センサ信号は、照明レベルに比例させることができる。本周囲光センサは、第２の複数の基準素子を備えており、各基準素子は、基準信号を提供するように構成されており、基準素子が照らされるのを遮るための遮蔽要素を備えている。第１の複数は第２の複数より大きく、第１の複数のセンサ素子および第２の複数の基準素子は、アレイ状に配置されている。さらに、センサ素子および基準素子は、共通基板に、横方向に配置されており、少なくとも１つの共通コンタクトを共有している。
【０００７】
別の態様においては、周囲光センサは、第１のセンサ素子であって、各センサ素子が、照明のレベルに応えて信号を提供するように構成されている、第１のセンサ素子と、基準素子であって、各基準素子が、基準信号を提供するように構成されており、各基準素子が、それぞれの基準素子が照らされるのを遮るように構成されている遮蔽要素を備えている、基準素子と、を備えている。センサ素子の数は、基準素子の数より大きい。センサ素子および基準素子はアレイ状に配置されている。センサ素子および基準素子は、共通層基板に横方向に配置されており、少なくとも１つの共通の第１のコンタクトを共有している。
【０００８】
一態様においては、基準素子のための第２のコンタクトが、遮蔽要素の側の基準素子の表面に配置されている。さらに、センサ素子のための第２のコンタクトを、遮蔽要素の側のセンサ素子の表面に配置することができる。これに代えて、これらのコンタクトを、遮蔽要素とは反対側の表面に配置することができる。いくつかの実施形態においては、共通コンタクトは、遮蔽要素とは反対側の共通層基板の表面に配置されている。これは例えば、共通基板を貫くコンタクトビア（ｃｏｎｔａｃｔ  ｖｉａ）によって達成することができる。
【０００９】
いくつかの実施形態においては、上から見た遮蔽要素は、それぞれの基準素子によって占有されている領域より大きい。例えば遮蔽要素は、それぞれの基準素子を完全に覆っており、かつ、基準素子と、第１の複数のセンサ素子のうち隣接するセンサ素子との間の空間内まで横方向にさらに延びている。
【００１０】
遮蔽要素は、いくつかの例においては、第１の複数のセンサ素子のうち基準素子に隣接するセンサ素子の一部分の上方に延びている。遮蔽要素によって覆われているセンサ素子の部分は、センサ素子の総センサ領域の５％〜５０％の範囲内、特に５％〜１０％の範囲内とすることができる。
【００１１】
センサ素子および基準素子は、それぞれ、ｐ型ドープ層と、ｎ型ドープ層と、照らされているときに信号を生成するように構成されている、ｐ型ドープ層とｎ型ドープ層との間の活性領域と、を備えていることができる。いくつかの別の態様においては、センサ素子および／または基準素子は、それぞれ、井戸であって、共通基板との間に活性層を形成するように共通基板内に配置されている、井戸、を備えている。
【００１２】
センサ素子の数と基準素子の数は、異なっていることができる。いくつかの実施形態においては、アレイの縁部に沿ったセンサ素子と基準素子の比が、第１の複数と第２の複数の比に一致するように、センサ素子および基準素子がアレイ状に配置されている。
【００１３】
別の態様においては、周囲光検出器は、カレントミラー（ｃｕｒｒｅｎｔ  ｍｉｒｒｏｒ）を備えており、カレントミラーは、第１の電流経路および第２の電流経路を含む。第１の電流経路は、第１の複数のフォトダイオードを備えており、第２の電流経路は、第２の複数の暗電流ダイオードを備えている。第１の複数のフォトダイオードおよび第２の複数の暗電流ダイオードは、共通基板に、横方向に配置されており、第１の複数と第２の複数は異なる。
【００１４】
第１の電流経路にはミラートランジスタが関連付けられており、第２の電流経路には基準トランジスタが関連付けられている。ミラートランジスタと基準トランジスタは、第１の複数と第２の複数の比に一致するパラメータ比を備えている。
【００１５】
一実施形態においては、デジタルの不一致補正信号に応えて第１の電流経路および第２の電流経路の少なくとも一方において補正電流を提供する補正デバイス、が設けられている。補正デバイスは、いくつかの態様においては、第１の複数のフォトダイオードとミラートランジスタとの間で第１の電流経路に接続することができる、および／または、補正デバイスは、第２の複数の暗電流ダイオードと基準トランジスタとの間で第２の電流経路に接続される。
【００１６】
いくつかの態様においては、追加の電流制限器が、第１の電流経路における電流を制限するように構成されている。電流制限器は、クランプ用素子に結合された電流検出抵抗器を備えていることができ、この電流検出抵抗器は、第１の電流経路におけるミラートランジスタに並列に配置されている電流制限素子を制御するように構成されている。
【００１７】
さらには、いくつかの態様は、第１の信号入力または第２の信号入力に結合される利得設定要素に関し、第２の信号入力は供給入力である。利得設定要素は、第１の信号入力に結合されているときには高利得を設定し、第２の信号入力に結合されているときには低利得を設定するように構成されている。利得設定要素の結合は、いくつかの態様においては実質的に永久的である。
【００１８】
いくつかの態様においては、利得設定要素は、ミラートランジスタに並列に配置されておりかつ自身の制御入力が第１の複数のフォトダイオードとミラートランジスタとの間である状態で接続されている利得設定トランジスタ、を備えていることができる。
【００１９】
別の態様は、第１の複数のフォトダイオードに関する。フォトダイオードは、共通基板に配置されている第１の導電型の層を備えていることができる。第２の複数の暗電流ダイオードは、共通基板に配置されている第１の導電型の層を備えていることができ、この共通基板は第２の導電型を有する。本周囲光検出器は、いくつかの態様においては、第１の複数のフォトダイオードおよび第２の複数の暗電流ダイオードのための少なくとも１つの共通コンタクトと、フォトダイオードの層に接触しているコンタクトと、暗電流ダイオードの層に接触しているコンタクトと、を備えている。
【００２０】
第２の複数の暗電流ダイオードの各々は、それぞれの暗電流ダイオードが照らされるのを遮るように構成されている遮蔽要素を備えていることができる。遮蔽要素は、上面視において、それぞれの暗電流ダイオードの領域より大きくしたがってこの領域を完全に覆っており、かつ、暗電流ダイオードと、隣接する第１の複数のフォトダイオードとの間の空間内まで横方向にさらに延びている。したがって遮蔽要素は、暗電流ダイオードに隣接する第１の複数のフォトダイオードの一部分の上方に延びていることができる。
【００２１】
いくつかの態様においては、第１の複数は、第２の複数の４倍である。フォトダイオードおよび暗電流ダイオードは、アレイの縁部に沿ったセンサ素子と基準素子の比が、第１の複数と第２の複数の比に一致するように、共通基板にアレイ状に配置することができる。
【００２２】
別の態様においては、光検出器アレイは、アレイの縁部に沿ったフォトダイオードと基準ダイオードの比が、第１の複数と第２の複数の比に一致するように、互いに横方向に配置された第１の複数のフォトダイオードおよび第２の複数の基準ダイオードを備えている。
【００２３】
いくつかの態様においては、アレイの各角部は、第１の複数のフォトダイオードのフォトダイオードを備えていることができる。一例として、第１の複数のフォトダイオードは、第２の複数のフォトダイオードより４倍多い。
【００２４】
さらなる態様は、周囲光センサの形成に関する。いくつかの実施形態においては、周囲光センサは、主面および第１の導電型を有する層を設けることによって形成される。この層に、第２の導電型の少なくとも２つの領域を形成する。少なくとも２つの領域は、互いに横方向に隣接して第１の距離だけ隔てて形成する。層および少なくとも２つの領域の各々に電気的に接触するコンタクトを設ける。さらに、少なくとも２つの領域の一方の上方に、主面に実質的に平行な光遮蔽要素を、光遮蔽要素が少なくとも２つの領域の一方を覆いかつ少なくとも上記距離に沿って延びているように、設ける。
【００２５】
以下では、さらなる態様および複数の異なる例を、添付の図を参照しながら詳しくさらに開示する。
【図面の簡単な説明】
【００２６】
【図１】暗電流補正回路の例示的な実施形態を図解している。
【図２】提案する原理のいくつかの態様による、周囲光センサの一実施形態を示している。
【図３】遮蔽要素の重なりに対するクロストークを描いた図を示している。
【図４】提案する原理のいくつかの態様を図解した周囲光検出器の一実施形態を示している。
【図５】図４の実施形態において使用されるＤＡＣ回路の例示的な実施形態を図解している。
【図６】いくつかの態様による、周囲光検出器アレイの例示的な実施形態を示している。
【図７】別の例示的な周囲光検出器アレイを示している。
【図８】さらに別の例示的な周囲光検出器アレイを示している。
【図９】周囲光センサを形成する方法の一例を示している。
【発明を実施するための形態】
【００２７】
周囲光センサは、周囲の照明の強さを測定する電子デバイスである。周囲光センサは、照明との何らかの関係における（例えば照明に正比例する）電気信号を出力する。しかしながら周囲光の測定に使用されるフォトダイオードは、熱運動およびさまざまな周囲温度に起因して、たとえセンサ自体のフォトダイオードが照らされていないときにも、小さい電流を流す。これは暗電流と呼ばれる。暗電流の打ち消しを達成するため、しばしば第２のフォトダイオードが使用される。図１はこの原理を図解している。打ち消し部１は、センサフォトダイオード１１および暗電流フォトダイオード１２を備えている。暗電流フォトダイオードは、このダイオード１２の開口部に測定光が達することができないように遮蔽されている。結合器（ｃｏｍｂｉｎｅｒ）１５において、ダイオード１２の暗電流がフォトダイオード１１から差し引かれる。その結果が増幅器１４において増幅され、出力１６において提供される。
【００２８】
露出したフォトダイオード１１の総応答は、入射した周囲光によって誘発されて生成される光電流と、（大部分が熱的に）生成される暗電流とを含む。暗電流ダイオード１２は、暗電流のみを提供する。打ち消しの結果として、特に低い照明レベルにおいてセンサの感度が改善される。
【００２９】
良好な結果を達成するためには、フォトダイオードおよび暗電流ダイオードの両方が類似しており、互いに近くに配置されているべきである。しかしながら、浅い入射角でフォトダイオード構造に入射する光や散乱光が暗電流ダイオードに達して、隣接する構造との間でクロストークが生じうる。
【００３０】
感度を改善する目的で、複数のフォトダイオード構造と、フォトダイオード構造の第１の部分を覆う一方で周囲光がフォトダイオード構造の第２の部分に達することが可能であるように配置されている光遮蔽体と、を備えたフォトダイオードアレイであって、第１の部分が、基準フォトダイオードのグループを定義しており、第２の部分が、露出したフォトダイオードのグループを定義している、フォトダイオードアレイ、を提案する。光遮蔽体は、遮蔽体の光遮蔽材料が周囲光から基準フォトダイオードを覆う一方で、周囲光が残りのフォトダイオード構造に達することが可能でありしたがってこれらのフォトダイオード構造が周囲光にさらされるように、フォトダイオード構造に対して配置されている。遮蔽体は、遮蔽体構造に入射する光の少なくとも９０％、または遮蔽体構造に入射する光の少なくとも９９％を光遮蔽体が遮蔽するように、光遮蔽材料を含む。
【００３１】
本開示の文脈においては、語句「基準ダイオード」または「暗電流ダイオード」は、（フォトダイオードの法線に沿った視点からフォトダイオードを見たときに）遮蔽体によって完全に覆われているフォトダイオード構造のグループのフォトダイオードに関連して使用することができる。
【００３２】
本開示の文脈においては、語句「露出したダイオード」または「フォトダイオード」は、（フォトダイオードの法線に沿った視点からフォトダイオードを見たときに）遮蔽体によって最大でも部分的に覆われているフォトダイオード構造のグループのフォトダイオードに関連して使用することができる。
【００３３】
図２は、いくつかの態様を説明するための例示的な一実施形態を示している。両方のダイオードが、互いに隣接して共通のｐ型基板１２５に配置されている。各ダイオードは、ｐ型ドープ基板にそれぞれ配置されているｎ型ドープ井戸１１２，１２２を備えている。基板１２５に電気的に接触するための共通のアノードコンタクト１２４が、表面に配置されている。露出したフォトダイオード１１ａに電気的に接触するためのコンタクト１１３が、ｎ型井戸１１２の上に配置されている。同様に、コンタクト１２３が基準ダイオード１２ａの井戸１２２の上に配置されている。
【００３４】
基準フォトダイオードおよび露出したフォトダイオードは、好ましくは物理的に同一であり、距離ｄにおいて互いに隣接している。しかしながら製造時の変動に起因して、ｎ型ドープ井戸１１２，１２２の横方向の拡散は良好に制御されない。フォトダイオードおよび基準フォトダイオードの両方において、横方向の拡散はダイオードごとに変化しうる。結果として、光電流の分布および暗電流の分布が大きいことがある。
【００３５】
このような分布の結果を低減する目的で、提案する原理によれば、基準ダイオード１２ａの上方に遮蔽要素（すなわち光遮蔽体１２１ａ）が配置されている。遮蔽体１２１ａによって覆われている領域は、基準ダイオード１２ａによって覆われている基板内の領域よりも大きい。言い換えれば、図２において理解できるように、光遮蔽体１２１ａの横寸法は、この側面図においては、ｎ型井戸１２２を含む基準ダイオードの横寸法と、フォトダイオードと基準ダイオードの間の距離ｄとにわたって延びている。結果として光遮蔽体は、横方向にフォトダイオード１１２のｎ型井戸の上に重なっている。フォトダイオードの横方向領域が距離ｄの半分まで「延在して」おり、同様に基準ダイオードが距離ｄの半分まで延在していると想定すると、光遮蔽体１２１ａは、基準ダイオード１２ａの領域を完全に覆い、かつフォトダイオードの領域、特にｐ型基板の表面における領域を部分的に覆っている。フォトダイオード１１ａの領域にわたる光遮蔽体の重なりは、数マイクロメートルとすることができる。距離ａは、例えば１μｍ〜２０μｍの範囲内とすることができる。同様に、合計の重なりは、５μｍ〜５０μｍ以上の範囲内とすることができる。
【００３６】
したがって光遮蔽体の開口部は、フォトダイオードの対応する領域よりも小さい。光遮蔽体１２１ａは、アルミニウム、または任意の別の光遮蔽材料を含むことができる。このような光遮蔽材料は、浸透性ではないことが多く、遮蔽体の光遮蔽領域の中をガスが浸透することを阻止する。フォトダイオードアレイの製造は、しばしばアニーリングステップを含み、このステップは、光センサの上に光遮蔽体が取り付けられた後に実行されうる。フォトダイオード構造の同程度の効果的なアニーリングを得る目的で、遮蔽体は、遮蔽体とフォトダイオードアレイとの間に水素が拡散して流れるための空間が存在するように配置されていることが好ましい。したがって光遮蔽体１２１ａは、光遮蔽体と基準ダイオードとの間にこのような空間を設けるため、基準ダイオード１２ａに対して距離ｈに配置されている。間の空間は、アニールされたフォトレジスト、シリコン酸化物、または任意の別の適切な材料によって満たされる。基準ダイオード１２ａの表面と光遮蔽体との間の距離ｈは、数マイクロメートルとすることができる。距離ｈは、光遮蔽体のサイズに応じたものとすることができる。
【００３７】
いくつかの実施形態においては、１つの露出したフォトダイオードの横方向領域と、光遮蔽体によって覆われていない対応する透過域の領域の比は、０．９未満（例えば０．７５未満、例えば０．５未満）である。
【００３８】
図３は、光遮蔽体と基準ダイオードとの間の所与の距離ｈの場合における、重なり量に対する、結果としての入射光のクロストークを描いた図を示している。この点において「クロストーク」とは、基準ダイオードに達して偽信号を発生させる入射光である。図から理解できるように、重なりが大きくなるとクロストークが著しく減少する。重なりによる恩恵は、フォトダイオードの照射領域が小さくなることによる信号の損失よりも依然として高い。
【００３９】
図４は、本出願のいくつかの態様を図解した周囲光検出器回路の一実施形態を示している。この回路は、第１の信号または電流経路１５１と、第２の信号または電流経路１５２とを備えた差動増幅器１５０、を備えている。第１の信号経路は、出力ノードＩＯＵＴと供給ノードＶＤＤとの間に配置されている少なくとも１つのフォトダイオード１１ｂおよびミラートランジスタ１５８を含む。第２の信号経路は、少なくとも１つの基準ダイオード１２ｂおよび基準トランジスタ１５３を備えており、これらの両方は、出力ノードＩＯＵＴと供給ノードＶＤＤとの間に直列に配置されている。並列に接続された５つの基準ダイオードが存在し（Ｍ＝５）、図４に描いたように、そのうちの１つのみの記号を図に示してある。同様に、第１の電流経路には２０個のフォトダイオードが存在しており（Ｍ＝２０）、これらの比は１：４である。
【００４０】
図４に示した周囲光検出器の動作時、各基準ダイオードおよびフォトダイオードにおいて等しい大きさの暗電流が生成される。結果として、第１の電流経路１５１を流れる暗電流は、第２の電流経路１５２を流れるそれぞれの暗電流よりも４倍大きい。暗電流を補正する目的で、トランジスタ１５３，１５４を使用して暗電流を補正する差動増幅器は、それぞれの経路において異なる暗電流を処理しなければならない。
【００４１】
この目的のため、トランジスタ１５４およびトランジスタ１５３がカレントミラーを形成している。基準トランジスタ１５３およびミラートランジスタ１５４は、図示したように電界効果トランジスタとして実施することができるが、必要に応じてＭＯＳ−ＦＥＴＳ、ＢＪＴ、ＭＥＳ−ＦＥＴなど異なる種類の素子を使用することができる。両方のトランジスタ１５３，１５４のゲートは、基準ダイオードと基準トランジスタ１５３の間のノード１５６に接続されており、したがってカレントミラーを形成している。このようなカレントミラーは、基準トランジスタを流れる電流を、事前定義される比によってミラートランジスタに複製（コピー）する（ｍｉｒｒｏｒ）。この比は、パラメータＭによって与えられる、両方のトランジスタの物理的寸法によって与えられる。このようなパラメータとしては、トランジスタのチャネル幅、またはその長さ、またはこれらの組合せが挙げられる。図４の例においては、トランジスタ１５４に複製される電流は、基準トランジスタを流れる電流の４倍であり、したがって基準ダイオードの数とフォトダイオードの数の比に一致する。言い換えれば、第２の電流経路において基準ダイオード１２ｂを流れる暗電流が、４倍されて第１の電流経路に複製される。したがって前者の暗電流が４倍に増幅され、第１の電流経路における暗電流を補正する。
【００４２】
出力信号は、ノード１５５に印加される。ノード１５５は、供給ノードＶＤＤとノード１５８との間に配置されている出力トランジスタ１５８のゲートにも接続されている。したがってトランジスタ１５８も、増幅器の出力段１７０の一部を形成している。出力段１７０は、経路トランジスタ１７２、抵抗器１７８、およびカレントミラー１７４を含むカレントミラー段をさらに備えている。トランジスタ１７２の経路は、供給ノードＶＤＤと出力ノードＩＯＵＴとの間でカレントミラー１７４のトランジスタ１７５に直列に接続されている。抵抗器１７８は、供給ノードＶＤＤと出力ノードＩＯＵＴとの間でカレントミラー１７４のトランジスタ１７６に直列に接続されている。トランジスタ１７５，１７６のゲートは、トランジスタ１７２とトランジスタ１７５の間のノード１７１に接続されており、したがってトランジスタ１７５を流れる電流がトランジスタ１７６に複製される。
【００４３】
トランジスタ１７２とトランジスタ１５８も、幾何学的パラメータｍおよびこのパラメータのそれぞれの値ｍ＝１およびｍ＝Ｍによって与えられる事前定義される電流比を備えている。言い換えれば、トランジスタ１７２の電流は、トランジスタ１５８よりＭ倍大きい。トランジスタ１５８およびトランジスタ１７２も、ミラー比１：Ｍのカレントミラーを形成している。トランジスタ１５８を流れる電流がＭ倍されてトランジスタ１７２に複製される。同様に、トランジスタ１７２を流れる電流が、そのような比だけ増大されてトランジスタ１７６に複製される（トランジスタ１７５，１７６も図４に示したように１：Ｎの比を備えている）。結果として、動作時、ノードＩＯＵＴにおける出力電流は、フォトダイオードの電流と、トランジスタ１７２，１５８の比（Ｍ／１）と、トランジスタ１７６，１７５の比（Ｎ／１）とを乗じた値に等しい（ＩＯＵＴ＝Ｉｐｈｏｔｏ＊Ｍ＊Ｎ）。
【００４４】
いくつかの例においては、図２に示した構造の上の光遮蔽体によって、構造内にいくらかの張力が生じることがあり、またアニーリング工程からの残余水素によって、基準ダイオードの特性が変化しうる。これにより、第２の電流経路における基準ダイオードと、第１の電流経路におけるフォトダイオードの不一致が生じうる。この不一致を補正するために、補正回路１６０が設けられている。補正回路は、ノード１６２において補正信号を提供するＤＡＣを備えている。何らかの補正信号を加える、または差し引かなければならないかどうかに応じて、出力ノードが第１の信号経路または第２の信号経路に選択的に結合される。
【００４５】
図５を参照し、ＤＡＣは、基準ノードＶＳＳおよび供給ノードＶＤＤ、ならびに２つの出力ノードＯＵＴ１およびＯＵＴ２を備えていることができる。出力ノードＯＵＴ１，ＯＵＴ２は、それぞれ第１の電流経路および第２の電流経路に接続されている。ＤＡＣは、複数の補正ダイオードＤ１〜Ｄ１４およびスイッチＳ１〜Ｓ１４をさらに備えている。各ダイオードは、直列に接続されたスイッチを有する。ダイオードＤ１〜Ｄ７は、それぞれに関連付けられる直列のスイッチと一緒に、基準ノードＶＳＳと出力ノードＯＵＴ１／ＯＵＴ２との間に並列に配置されている。ダイオードＤ８〜Ｄ１４は、それぞれに関連付けられる直列のスイッチと一緒に、供給ノードＶＤＤと出力ノードＯＵＴ１／ＯＵＴ２との間に配置されている。２つのさらなるスイッチＳ１５およびＳ１６は、補正ダイオードからそれぞれの出力ノードに選択的に信号が提供されるように切り替えられる。
【００４６】
したがって各補正ダイオードは、選択的に切り替えて経路に接続する、または経路から接続解除することができ、出力ノードの一方において信号を提供する。ダイオードＤ１〜Ｄ７（およびＤ１４〜Ｄ８）の領域は、１つのダイオードの領域が次のダイオードの領域の半分であるように選択される。したがって８ビットの論理信号は、ダイオードの接続を切り替えて、２５６個の異なる補正値を提供することができる。ダイオードの代わりに、通常のトランジスタを使用することができる。
【００４７】
図４に戻り、別の問題が生じることがあり、なぜなら電流増幅器の利得が大きく、Ｍ＊Ｎの係数によっては数万の範囲となりうるためである。非常に明るい（例えばレーザなどによる）照明の場合、ノードＩＯＵＴにおける出力電流が極めて大きくなることがあり、それによって周囲光検出器の過熱や損傷が生じうる。これらの発生を防止する目的で、回路は電流制限器を備えている。電流制限器は、出力段の抵抗器１７８を使用し、クランプ用トランジスタ１８０をさらに備えている。クランプ用トランジスタ１８０は、供給ノードＶＤＤとノード１５５との間に配置されている。トランジスタ１８０のゲートは、出力段の抵抗器１７８およびトランジスタ１７６に接続されている。動作時、合計出力電流が抵抗器１７８によって感知される。抵抗器１７８両端の電圧降下が事前定義されるしきい値に達すると、クランプ用トランジスタのゲートがオンになり、トランジスタ１５８およびトランジスタ１７２のカレントミラーにクランプ信号が提供される。クランプ信号は、トランジスタ１５８のゲート電圧を設定して、合計出力を定義済みの最大出力電流値に制限する。このような最大出力電流値は、抵抗器１７８の値で除したクランプ用トランジスタ１８０のしきい値電圧（このトランジスタの物理パラメータによって調整可能）によって設定することができる。
【００４８】
さらなる態様においては、本周囲光検出器は、利得設定トランジスタ１９０を使用する選択可能な利得を備えている。本周囲光検出器は、数桁の動的なＬＵＸ範囲（例えば１ｍ  ＬＵＸ〜１００ｋ  ＬＵＸの範囲）を備えていることができる。したがって、検出器が急激に最大出力電流値に達するのを防止するため、出力電流の異なる範囲が必要である。例えば用途によっては、低利得が必要である高いＬＵＸ範囲に光センサがさらされることがある。これは例えば、自動車のダッシュボード上の用途である。これに対して、携帯電話のガラス越しのセンサでは、しばしば光強度が低く、したがって同じ感度を達成するためには高い利得が必要でありうる。図４は、２つの異なる選択可能な、ただし永久的な利得設定の例を描いている。選択可能な利得の利点として、用意しておくべき金型の数を減らすことができ、また検出器の製造が簡略化され、なぜなら実際の設定を後の段階で修正できるためである。図示した例においては、利得設定トランジスタは、ノード１５５と設定ノードＩＤＩＶとの間に配置されている。利得設定トランジスタ１９０のゲートがノード１５５に接続されている。高利得の設定においては、ノードＩＤＩＶが供給ノードＶＤＤに結合されない。低利得の設定においては、ノードＩＤＩＶが供給ノードＶＤＤに結合され、利得が１／Ｇに減少する。全体として、高利得モードにおける出力電流は、Ｉｏｕｔ＝Ｉｐｈｏｔｏ＊Ｍ＊Ｎによって与えられる。低利得モードにおける利得は、Ｉｏｕｔ＝Ｉｐｈｏｔｏ＊（Ｍ／Ｇ）＊Ｎによって与えられる。
【００４９】
別の態様は、周囲光検出器の表面における基準ダイオードおよびフォトダイオードの配置について言及する。図６は、第１の複数のフォトダイオード４０１および第２の複数の基準ダイオードを有する周囲光検出器アレイの上面図の例を示している。提示した例においては、第１の複数は第２の複数より４倍大きく、したがって図４における増幅器の配置構造に一致する。フォトダイオードおよび基準ダイオードは、全長Ｄを有するパターンに配置されている。各ダイオードは寸法ｄを有し、照射領域ｗを有する。フォトダイオードおよび基準ダイオードの全体のレイアウトは、中心における基準ダイオード４００ａおよび各縁部の中央に沿ったさらなる基準ダイオードを有する共通の重心である。これによって製造時における工程勾配（ｐｒｏｃｅｓｓ  ｇｒａｄｉｅｎｔ）および変動が減少し、これにより整合性（ｍａｔｃｈｉｎｇ）が改善される。
【００５０】
さらに、図示した例に係る周囲光検出器アレイは、２つの「バランス縁部（ｂａｌａｎｃｅｄ  ｅｄｇｅｓ）」を備えている。検出器の縁部に沿ったフォトダイオード４０１の数は、そのような縁部に沿った基準ダイオードの数の４倍である。例えば、検出器の左縁部に沿った４つのフォトダイオード４０１ａ〜４０１ｄおよび中央の１つの基準ダイオード４００ａが存在し、したがって軸線ｘを中心とする鏡面対称が形成されている。言い換えれば、フォトダイオードの総数と基準ダイオードの総数の比は、検出器の縁部に沿ったフォトダイオードと基準ダイオードの比に一致する。これにより、検出器アレイの合計チップ領域が減少し、ただしたとえ縁部における漏れ電流の場合にも比が維持される。上面は、透明材料（すなわちエポキシ樹脂、ＳＯＧ、ＳｉＯなど）によって覆われている。光遮蔽体は、この図で暗い色によって描いたように基準ダイオードの各々を覆っている。クロストークを低減するため、光遮蔽体は、その横寸法が、隣接するフォトダイオードの一部の上方にも延びている（この図には示していない）。暗電流は照明のレベルとは実質的に独立しているため、すべてのフォトダイオードを部分的に覆う必要はない。結果として、ダイオード４０１ｄにおいて照明によって引き起こされる光電流は、フォトダイオード４０１ｃよりわずかに大きく、なぜならフォトダイオード４０１ｃは部分的に覆われているためである。照明に起因する光電流が差動増幅器において足し合わされるため、フォトダイオード間の小さい変動が補正される。
【００５１】
図７は、３×３のチェッカー盤としての周囲光検出器アレイの別の例を示している。この実施形態においては、フォトダイオードと基準ダイオードとの比は、６：３＝２：１である。基準ダイオードは、検出器アレイのチェッカー盤構造内の対角線に沿って配置されている。検出器アレイの縁部に沿った基準ダイオードに対するフォトダイオードの比も、依然として２：１である。類似する例を図８に示してあり、図８は、４×４の構造を有する周囲光検出器アレイを示している。この場合にも基準ダイオード４００は、盤の対角線に沿って配置されており、フォトダイオード４０１が残りの空間を占有している。アレイの縁部に沿ったフォトダイオードと基準ダイオードの比は、３：１に等しい。
【００５２】
したがって、縁部に沿ったダイオードの比と同じ全体の比を維持するためには、すべての基準ダイオードを周囲光検出器アレイの対角線の１つにわたって配置しなければならない。
【００５３】
図９は、周囲光センサを形成する方法のいくつかの態様を示している。ステップＳ１においては、第１の導電型の基板層を設け、この層は主面を有する。この層は、例えばｐ型にドープすることができ、ＧａＡｓ、ＧａＮ、または任意の別の適切な材料から形成することができる。ステップＳ２においては、互いに横方向に隣接しており第１の距離だけ隔てられた、第２の導電型のいくつかの領域を、基板層に堆積させる。形成される領域は、上面視においてチェッカー盤（例えばＮ×Ｎのチェッカー盤（Ｎは３以上の整数））を形成していることができる。各領域には、基板層の境界によって囲まれている第２の導電型の領域が含まれる。
【００５４】
第２の導電型の領域と基板層との間にｐｎ接合部が形成される。これらの領域は、基板層内にｎ型ドーパントを堆積させることによって形成することができる。これに代えて、ｐ型ドープ層に、エッチングによって１つまたは複数の凹部を形成することができる。これらの凹部にｎ型ドープ材料を満たすことができる。ｐｎ接合部を形成するための別の代替方法としては、フォトダイオードまたはＬＥＤの製造技術を使用することができる。
【００５５】
基板層にｎ型井戸を形成した後、ステップＳ２において、基板層とｎ型井戸の両方に電気的に接触する。この目的のため、表面にコンタクトを堆積させる。２つの隣接するｎ型井戸の間の基板層の領域に、１つまたは複数の共通コンタクトを配置することができる。コンタクトは、金属、またはＩＴＯなどの透明導電性材料から形成する。コンタクトを、読み出し・増幅器回路に結合し、この回路は個別に設ける、または基板層に一体に形成する。
【００５６】
最後にステップＳ３においては、１つまたは複数の領域の上方に光遮蔽要素を形成する。この光遮蔽体は次のように配置し、すなわち、その横寸法が、定義された領域の１つより大きく、したがって光遮蔽体が領域を完全に覆い、さらに、隣接する領域の一部にも延びている。光遮蔽体は、任意の不透明材料（暗色樹脂など）から形成することができる。好ましくは限られた反射率を有する金属も使用することができる。光遮蔽体を形成する前に、形成されたダイオードを含むアレイを、透明材料（ＳＯＧ、ＳｉＯなど）によって完全に覆うことができる。光遮蔽要素は、覆われない領域の量が、覆われる量より大きいように、領域の一部のみを覆う。光遮蔽体は、特定の専用の領域の上方のみに堆積させることもでき、したがって上面視においてアレイの対角線を覆う。
【図１】
2021528653.tif 000003
【図２】
2021528653.tif 000004
【図３】
2021528653.tif 000005
【図４】
2021528653.tif 000006
【図５】
2021528653.tif 000007
【図６】
2021528653.tif 000008
【図７】
2021528653.tif 000009
【図８】
2021528653.tif 000010
【図９】
2021528653.tif 000011
【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
周囲光センサであって、
第１の複数のセンサ素子であって、各センサ素子が、照明のレベルに応えて信号を提供するように構成されている、前記第１の複数のセンサ素子、および、
第２の複数の基準素子であって、各基準素子が、基準信号を提供するように構成されており、各々が、それぞれの基準素子が照らされるのを遮るように構成されている遮蔽要素を備えている、前記第２の複数の基準素子、
を備えており、
前記第１の複数が前記第２の複数より大きく、前記第１の複数のセンサ素子および前記第２の複数の基準素子がアレイ状に配置されており、
センサ素子および基準素子が、共通層基板に、横方向に配置されており、少なくとも１つの共通の第１のコンタクトを共有しており、
前記光センサの上面視において、前記遮蔽要素が、前記それぞれの基準素子より大きい、
周囲光センサ。
【請求項２】
前記基準素子のための第２のコンタクトが、前記遮蔽要素の側の前記基準素子の表面に配置されている、請求項１に記載の周囲光センサ。
【請求項３】
前記センサ素子のための第２のコンタクトが、前記遮蔽要素の側の前記センサ素子の表面に配置されている、請求項１または請求項２に記載の周囲光センサ。
【請求項４】
前記共通のコンタクトが、前記遮蔽要素とは反対側の前記共通層基板の表面に配置されている、請求項１から請求項３のいずれか１項に記載の周囲光センサ。
【請求項５】
前記センサ素子のための前記第２のコンタクトおよび／または前記基準素子のための前記第２のコンタクトが、前記遮蔽要素とは反対側の共通層基板の表面に配置されている、請求項２に記載の周囲光センサ。
【請求項６】
前記遮蔽要素が、前記第１の複数のセンサ素子のうち前記基準素子に隣接するセンサ素子の一部の上方に延びている、請求項１から請求項５のいずれか１項に記載の周囲光センサ。
【請求項７】
前記遮蔽要素によって覆われている前記センサ素子の部分が、前記センサ素子の総センサ領域の５％と５０％の間である、請求項６に記載の周囲光センサ。
【請求項８】
前記第１の複数が前記第２の複数の４倍である、請求項１から請求項７のいずれか１項に記載の周囲光センサ。
【請求項９】
前記センサ素子および前記基準素子が、それぞれ、ｐ型ドープ層と、ｎ型ドープ層と、照らされているときに前記信号を生成するように構成されている、前記ｐ型ドープ層と前記ｎ型ドープ層との間の活性領域と、を備えている、請求項１から請求項８のいずれか１項に記載の周囲光センサ。
【請求項１０】
前記センサ素子および／または前記基準素子が、それぞれ、井戸であって、前記井戸と前記共通基板との間に活性層を形成するように前記共通基板内に配置されている、前記井戸、を備えている、請求項１から請求項９のいずれか１項に記載の周囲光センサ。
【請求項１１】
前記遮蔽要素が、前記基準素子の主面から距離をおいて配置されている、請求項１から請求項１０のいずれか１項に記載の周囲光センサ。
【請求項１２】
アレイの縁部に沿ったセンサ素子と基準素子の比が、前記第１の複数と前記第２の複数の比に一致するように、前記センサ素子および前記基準素子がアレイ状に配置されている、請求項１から請求項１０のいずれか１項に記載の周囲光センサ。
【請求項１３】
カレントミラーを有する周囲光検出器であって、前記カレントミラーが、
第１の電流経路における第１の複数のフォトダイオードと、
第２の電流経路における第２の複数の暗電流ダイオードであって、前記第２の複数が前記第１の複数と異なる、前記第２の複数の暗電流ダイオードと、
前記第１の電流経路におけるミラートランジスタおよび前記第２の電流経路における基準トランジスタと、
を備えており、
前記ミラートランジスタと前記基準トランジスタが、前記第１の複数と前記第２の複数の比に一致するパラメータ比を備えており、
前記第１の複数のフォトダイオードおよび前記第２の複数の暗電流ダイオードが、共通基板に、横方向に配置されており、
前記第２の複数の暗電流ダイオードの各々が、前記各々の暗電流ダイオードが照らされるのを遮るように構成されている遮蔽要素を備えており、前記遮蔽要素が、前記暗電流ダイオードに隣接する前記第１の複数のフォトダイオードの一部分の上方に延びるように構成されている、
周囲光検出器。
【請求項１４】
デジタルの不一致補正信号に応えて、前記第１の電流経路および前記第２の電流経路の少なくとも一方において補正電流を提供する補正デバイス、
をさらに備えている、請求項１３に記載の周囲光検出器。
【請求項１５】
前記補正デバイスが、前記第１の複数のフォトダイオードと前記ミラートランジスタとの間で前記第１の電流経路に結合されている、および／または、前記補正デバイスが、前記第２の複数の暗電流ダイオードと前記基準トランジスタとの間で前記第２の電流経路に結合されている、請求項１４に記載の周囲光検出器。
【請求項１６】
前記第１の電流経路における電流を制限するように構成されている電流制限器、をさらに備えている、請求項１３から請求項１５のいずれか１項に記載の周囲光検出器。
【請求項１７】
前記電流制限器が、クランプ用素子に結合された電流検出抵抗器を備えており、前記電流検出抵抗器が、前記第１の電流経路における前記ミラートランジスタに並列に配置されている電流制限素子を制御するように構成されている、請求項１６に記載の周囲光検出器。
【請求項１８】
第１の信号入力または第２の信号入力に結合される利得設定要素、をさらに備えており、前記第２の信号入力が供給入力である、請求項１３から請求項１７のいずれか１項に記載の周囲光検出器。
【請求項１９】
前記利得設定要素が、前記第１の信号入力に結合されているときには高利得を設定し、前記第２の信号入力に結合されているときには低利得を設定するように構成されている、請求項１８に記載の周囲光検出器。
【請求項２０】
前記利得設定要素の結合が実質的に永久的である、請求項１８または請求項１９に記載の周囲光検出器。
【請求項２１】
前記利得設定要素が、前記ミラートランジスタに並列に配置されておりかつ自身の制御入力が前記第１の複数のフォトダイオードと前記ミラートランジスタとの間である状態で接続されている利得設定トランジスタ、を備えている、請求項１８から請求項２０のいずれか１項に記載の周囲光検出器。
【請求項２２】
前記第１の複数のフォトダイオードが、
前記共通基板に配置されている第１の導電型の層、
を備えており、
前記第２の複数の暗電流ダイオードが、
前記共通基板に配置されている第１の導電型の層、
を備えており、
前記共通基板が第２の導電型を有する、
請求項１３から請求項２１のいずれか１項に記載の周囲光検出器。
【請求項２３】
前記第１の複数のフォトダイオードおよび前記第２の複数の暗電流ダイオードのための少なくとも１つの共通コンタクトと、
前記フォトダイオードの前記層に接触しているコンタクトと、
前記暗電流ダイオードの前記層に接触しているコンタクト、
をさらに備えている、請求項２２に記載の周囲光検出器。
【請求項２４】
前記コンタクトおよび前記共通コンタクトの少なくとも１つが、入射光の方向とは反対側の前記共通基板の表面に配置されている、請求項２３に記載の周囲光検出器。
【請求項２５】
前記遮蔽要素が、それぞれの暗電流ダイオードを完全に覆っており、かつ、前記暗電流ダイオードと、隣接する前記第１の複数のフォトダイオードとの間の空間内まで横方向にさらに延びている、請求項１３に記載の周囲光検出器。
【請求項２６】
前記第１の複数が、前記第２の複数の４倍である、請求項１３から請求項２５のいずれか１項に記載の周囲光検出器。
【請求項２７】
前記フォトダイオードおよび前記暗電流ダイオードが、アレイの縁部に沿ったセンサ素子と基準素子の比が前記第１の複数と前記第２の複数の比に一致するように、前記共通基板にアレイ状に配置されている、請求項１３から請求項２６のいずれか１項に記載の周囲光検出器。
【請求項２８】
第１の複数のフォトダイオードおよび第２の複数の基準ダイオードを備えた周囲光検出器アレイであって、前記第１の複数が前記第２の複数と異なり、前記第１の複数のフォトダイオードおよび前記第２の複数の基準ダイオードが、アレイの縁部に沿ったフォトダイオードの数と基準ダイオードの数との比が前記第１の複数と前記第２の複数の比に一致するように、互いに横方向に配置されている、周囲光検出器アレイ。
【請求項２９】
前記第１の複数と前記第２の複数が、Ｎ×Ｎのパターンを形成するようにされており、Ｎが３以上の整数である、請求項２８に記載の周囲光検出器アレイ。
【請求項３０】
前記アレイの各角部が、第１の複数のフォトダイオードのフォトダイオードを備えている、請求項２８または請求項２９に記載の周囲光検出器アレイ。
【請求項３１】
前記第２の複数の基準ダイオードが、前記アレイの対角線に配置されている、請求項２８から請求項３０のいずれか１項に記載の周囲光検出器アレイ。
【請求項３２】
前記第１の複数のフォトダイオードが、前記第２の複数のフォトダイオードより４倍多い、請求項２８から請求項３１のいずれか１項に記載の周囲光検出器アレイ。
【請求項３３】
周囲光センサを形成する方法であって、前記方法が、
第１の導電型の層を設けるステップであって、前記層が主面を有する、ステップと、
互いに横方向に隣接しており第１の距離だけ隔てられた、第２の導電型の少なくとも２つの領域を、前記層に形成するステップと、
前記層に接触するためのコンタクトと、前記少なくとも２つの領域の各々に接触するためのコンタクトを形成するステップと、
前記少なくとも２つの領域の一方の上方に、前記主面に実質的に平行な光遮蔽要素を形成するステップであって、前記光遮蔽要素が前記少なくとも２つの領域の前記一方を覆い、かつ少なくとも前記距離に沿って延びている、ステップと、
を含む、方法。
【国際調査報告】
2021528653.tif 000012
2021528653.tif 000013
2021528653.tif 000014
2021528653.tif 000015
2021528653.tif 000016